(57)【要約】【課題】ゲーム感覚で興味を持ちながらお金を貯めることができ、しかも貯まったお金が見えて楽しい本型のコインホルダーを提供することを課題とする。【解決手段】複数のシート状のコインホルダー部からなる本型のコインホルダーであって、各コインホルダー部あるいは対向するページ、又はその双方のページに少なくとも１種類以上の複数のコイン収容部を配設し、各コイン収容部の近傍あるいは対向ページ、又はその双方に、イラストまたは文章、あるいはその双方を表示して、本としての体裁をとりつつ、ゲーム感覚で順番にお金を貯めることができることを特徴とする本型コインホルダー。【選択図】　　　　　図１
2004065677.tif 000002
【特許請求の範囲】
【請求項１】
複数のシート状のコインホルダー部からなる本型のコインホルダーであって、各コインホルダー部あるいは対向するページ、又はその双方のページに少なくとも１種類以上の複数のコイン収容部を配設し、各コイン収容部の近傍あるいは対向ページ、又はその双方に、イラストまたは文章、あるいはその双方を表示して、本としての体裁をとりつつ、ゲーム感覚で順番にお金を貯めることができることを特徴とする本型コインホルダー。
【請求項２】
前記各コイン収容部には、収容するコインとほぼ同一径の開口部を設けると共に、該開口部に、コインの落下を防止する為のコイン係止部を設けたことを特徴とする請求項１記載の本型コインホルダー。
【請求項３】
前記本型コインホルダーと別体で本カバーを設け、該本カバーの一面には、真のタイトル名を表示する一方、その反対面には偽のタイトル名を表示したことを特徴とする請求項１又は２記載の本型コインホルダー。
【請求項４】
複数のシート状のコインホルダー部からなる本型のコインホルダーであって、各コインホルダー部あるいは対向するページ、又はその双方のページに少なくとも１種類以上の複数のコイン貼付部を配設し、各コイン貼付部の近傍あるいは対向ページ、又はその双方に、イラストまたは文章、あるいはその双方を表示して、本としての体裁をとりつつ、ゲーム感覚で順番にお金を貯めることができることを特徴とする本型コインホルダー。
【発明の詳細な説明】
【０００１】
【発明の属する技術分野】
本発明は、コインを貯金する本型のコインホルダーに関する。
【０００２】
【従来の技術】
従来より、同一種類のコインを貯めて目標金額を貯金できる貯金箱が存在していた。この貯金箱の構成は、例えば円筒状の形状であって、その内部を視認できるものと、そうでないものがあった。いずれの貯金箱においても、貯まった金額を一見して判断できるものではなく、また、ゲーム性が加味されてはいなかった。
【０００３】
【発明が解決しようとする課題】
そこで、本発明は、上記従来技術の問題点に鑑みなされたもので、ゲーム感覚で興味を持ちながらお金を貯めることができ、しかも貯まったお金が見えて楽しい本型のコインホルダーを提供することを課題とする。
【０００４】
【課題を解決するための手段】
本発明は、複数のシート状のコインホルダー部からなる本型のコインホルダーであって、各コインホルダー部あるいは対向するページ、又はその双方のページに少なくとも１種類以上の複数のコイン収容部を配設し、各コイン収容部の近傍あるいは対向ページ、又はその双方に、イラストまたは文章、あるいはその双方を表示して、本としての体裁をとりつつ、ゲーム感覚で順番にお金を貯めることができることを特徴とする。
【０００５】
上記本発明によれば、各コインホルダー部、対向するページ、あるいはその双方のページに、一定金額のお金を貯めることができるので、一見して貯まった金額を判断することができる。また、イラストや文章等の表示にしたがって順番にお金を貯めて行く事により、ゲーム感覚で興味を持ちながら一定金額が貯まる本型のコインホルダーを提供することができる。前記イラストの具体例としては、各都市や地名と関連する絵柄・写真とか、キャラクタの絵柄や写真などがある。また前記文章の具体例としては、各都市や地名を解説する文章とか、キャラクタの特徴を表現する文章などがある。さらに、お買物できる物のイラストや文章とか、格言を表わすイラストや文章などもある。
【０００６】
また本発明は、前記各コイン収容部には、収容するコインとほぼ同一径の開口部を設けると共に、該開口部に、コインの落下を防止する為のコイン係止部を設けたことを特徴とする。
【０００７】
上記本発明によれば、コインホルダーを本棚などに垂直に載置しても、コイン収容部にコインが係止される係止部を設けてあるので、コインの落下を防止することができる。
【０００８】
本発明は、前記本型コインホルダーと別体で本カバーを設け、該本カバーの一面には、真のタイトル名を表示する一方、その反対面には偽のタイトル名を表示したことを特徴とする。
【０００９】
上記本発明によれば、本カバーをリバーシブルに構成し、コインを収容してある本型コインホルダーを本棚などに収納する際には、本カバーの裏面を利用して偽のタイトル名を表示することができるので、コインの盗難防止に役立つことができる。
【００１０】
本発明は、複数のシート状のコインホルダー部からなる本型のコインホルダーであって、各コインホルダー部あるいは対向するページ、又はその双方のページに少なくとも１種類以上の複数のコイン貼付部を配設し、各コイン貼付部の近傍あるいは対向ページ、又はその双方に、イラストまたは文章、あるいはその双方を表示して、本としての体裁をとりつつ、ゲーム感覚で順番にお金を貯めることができることを特徴とする。
【００１１】
上記本発明によれば、各コインホルダー部、対向するページ、あるいはその双方のページに、一定金額のお金を貯めることができるので、一見して貯まった金額を判断することができる。また、イラストや文章等の表示にしたがって順番にお金を貯めて行く事により、ゲーム感覚で興味を持ちながら一定金額が貯まる本型のコインホルダーを提供することができる。前記イラストの具体例としては、各都市や地名と関連する絵柄・写真とか、キャラクタの絵柄や写真などがある。また前記文章の具体例としては、各都市や地名を解説する文章とか、キャラクタの特徴を表現する文章などがある。さらに、お買物できる物のイラストや文章とか、格言を表わすイラストや文章などもある。
【００１２】
【発明の実施の形態】
本発明は、本型コインホルダーに関する。
その構成は、複数のシート状のコインホルダー部からなる本型のコインホルダーであって、各コインホルダー部あるいは対向するページ、又はその双方のページに少なくとも１種類以上の複数のコイン収容部を配設し、各コイン収容部の近傍あるいは対向ページ、又はその双方に、イラストまたは文章、あるいはその双方を表示して、本としての体裁をとりつつ、ゲーム感覚で順番にお金を貯めることができることを表示したものである。
【００１３】
また本発明は、別の本型コインホルダーに関する。
その構成は、複数のシート状のコインホルダー部からなる本型のコインホルダーであって、各コインホルダー部あるいは対向するページ、又はその双方のページに少なくとも１種類以上の複数のコイン貼付部を配設し、各コイン貼付部の近傍あるいは対向ページ、又はその双方に、イラストまたは文章、あるいはその双方を表示して、本としての体裁をとりつつ、ゲーム感覚で順番にお金を貯めることができることを表示したものである。
【００１４】
【実施例】
以下、本発明の一実施例を図面に基いて詳細に説明する。
図１は、本実施例に係る本型コインホルダーの外観を示し、図２は、図１に係る本型コインホルダーのおもて表紙を開いた状態を示す外観図であり、図３は、三層からなるコインホルダー部の分解斜視図であり、図４は、コイン収容部にコインを収容した状態を拡大して示す図である。また、図５は、本発明に係る本型コインホルダーの第二実施例を示しており、おもて表紙を開いた状態を示す外観図である。図６は、本発明に係る第一実施例及び第二実施例に用いる本カバーの表面と裏面を示した図である。
【００１５】
図１及び図２において、本型コインホルダー１は、おもて表紙２Ａとうら表紙２Ｂとの間にシート状のコインホルダー部３を複数枚合わせて製本されている。おもて表紙２Ａには、本のタイトル名として、例えば、「５００円で世界１周旅行をすると３０万円貯まる本」と印刷表示されている。そして、おもて表紙２Ａを開くと、このタイトル名を興味を持ちながら実現できるゲーム要素が構成されている。すなわち、コインホルダー部３には、同一形状のコイン収容部４が、横方向と縦方向に複数配設されている。本実施例では、コイン収容部４には、５００円硬貨が収容可能に形成されている。そして、各コイン収容部４の下部には、各地の都市の名前、例えば、「東京」「大阪」「プサン」「ソウル」などが表示されている。各コイン収容部４は、横方向に上から下へと、貯まった金額に応じて旅行できる各都市への帯状の道しるべ５を表示してある。即ち、道しるへ５に従って最初の５００円を貯めると「東京」へ旅行ができ、次の５００円を貯めると「大阪」まで旅行ができるというようにゲーム感覚で興味を持ちながらお金を貯めることができる。
【００１６】
このようにコインホルダー部３を本のように見開き可能に形成したことにより、一見してその頁に蓄えられた現在の貯金額を把握することが可能である。
【００１７】
コインホルダー部３の左上部には、貯金の開始年月日を記載する記入欄が設けられており、また、右上部には、この頁の貯金が完了した年月日を記載する記入欄が設けられている。
【００１８】
これに対して、おもて表紙２Ａの裏面には、各コイン収容部４に対応する各地の都市の名前に関連した絵柄として、例えば「東京」については「東京タワー」、「ペキン」については「中国パンダ」が表示されている。したがって、コインホルダー部３にお金を貯金する際にコイン収容部４の下部に表示された都市名と関連する絵柄を見ることができ、各地を連想し興味を持ちながらお金を貯めることができる。
【００１９】
各頁のコインホルダー部３は都市名・開始年月日・完了年月日がそれぞれ表示されており、しかも各頁ごとに異なる都市名を表示してあり、その他の構成は共通している。また、コインホルダー部３の裏面にもおもて表紙２Ａの裏面と同様に、各地の都市の名前に関連した絵柄が表示されている。
【００２０】
次に、図３及び図４に基いてコインホルダー部３の構成を説明する。
コインホルダー部３は、上シート３Ａ・中間シート３Ｂ・下シート３Ｃの部材を貼り合わせた三層構造で構成されている。下シート３Ｃは、ボール紙を矩形に截断して形成されている。中間シート３Ｂは、下シート３Ｃとほぼ同形状にボール紙を截断して形成されており、コイン６を収容するための開口部３４が横方向と縦方向に複数穿設されている。開口部３４の大きさは、収容されるコイン６の外径とほぼ同一径であり、その一部には開口部の外径から膨出する指掛部３５を設けてある。上シート３Ａは、下シート３Ｃとほぼ同形状にボール紙を矩形に截断して形成されており、コインを収容するための開口部３１が、横方向と縦方向に中間シート３Ｂの開口部３４と同一位置に複数穿設されている。この開口部３１のほぼ上半分の外径は、収容されるコイン６の外径とほぼ同一径であり、また、下半分の外径はコイン６の外径よりも小さくしてコイン係止部３２を形成すると共に、開口部３１の外径のその一部には開口部の外径から膨出する指掛部３３を設けてある。そして、上シート３Ａと、中間シート３Ｂと、下シート３Ｃは、順番に積層し接着されている。
【００２１】
次に、本発明の第二実施例について説明する。
図５は、図１に係る本型コインホルダーのおもて表紙２Ａを開いた状態を示す外観図である。ここで便宜上、第一実施例と共通する構成の説明は省略し、相違点のみ説明する。
本実施例では、コインホルダー部３のコイン収容部４に替えて、コイン貼付部７を設けてある。コイン貼付部７の外径は、コイン６とほぼ同一径であり、このコイン貼付部７には、剥離紙つきのシール８が貼り付けられている。コインホルダー部３は、１枚の矩形のボール紙で形成されている。
第一実施例においては、背表紙の幅と、全頁のコインホルダー部３の幅がほぼ同一になるように構成されているが、本実施例においては、これと同様に構成すると、貼り付いたコインの厚み分だけコインホルダー部が厚くるため、外側に向けて広がってしまいおもて表紙２Ａと、うら表紙２Ｂからなる台紙の幅よりも厚くなってしまう。そこで、全頁のコインホルダー部３にコインを貼り付けてもコインホルダー部３の幅が台紙の幅よりも厚くならないように、各コインホルダー部３の厚さを薄く形成してある。コインホルダー部３は透明のビニール袋の中に収納されており、該ビニール袋の端が熱着などによって背表紙に固定されている。それにより、全頁にコインが貼付られたときには、ビニール袋の綴じ代の部分だけが扇型に広がることになり、各コインホルダー部は外側に広がることなく、おもて表紙とうら表紙の間に平らな状態で納まることになる。
【００２２】
本実施例では、５００円硬貨を用いた場合で説明したが、本発明はこれに限定されるものではなく、コインホルダー部や対向するページ又はその双方のページに同一種類のコイン又は異なる種類のコインを収容するように構成しても構わない。例えば、コインホルダー部３の上半分は５００円硬貨、下半分は１００円硬貨を収容するコイン収容部を設けることも可能である。
【００２３】
また上記実施例では、都市名として世界各地の都市を印刷表示してあるので一定金額を貯めると、世界一周旅行を楽しむことができるが、本発明はこれに限定されるものではなく、日本の地名を表示すれば、日本一周旅行を楽しむこともできる。また、都市名に替えてキャラクタを表示したり、都市やキャラクタの解説を表示したりしてもよい。
【００２４】
さらに、上記実施例では、おもて表紙２Ａの裏面や、コインホルダー部３の裏面に、地名に関連する絵柄を印刷表示した場合の例を説明したが、本発明はこれに限定されるのではなく、地名に関連する絵柄に替わるものとして、地名に関連する写真や、地名に関連する旧所・名跡などの解説を印刷表示しても構わない。
【００２５】
次に、図６に基いて上記２つの実施例に用いられる本カバー９について説明する。本カバー９の表面９Ａは、本のタイトル名として、例えば、「５００円で世界１周旅行をすると３０万円貯まる本」と印刷されている。その裏面９Ｂには、偽のタイトルとして、「基礎用語集」と印刷されている。通常使用する際には、表面９Ａを外向きにして使用し、コインを収容したのち、本棚に収納する場合には、本カバーを裏返して使用することで偽のタイトル名に印刷した書籍に見せかけることができる。このような書籍に見せかけることにより、コインホルダーであることを隠し、盗難を防止することができる。また、別の実施例としては、本カバー９を用いないで、偽の背表紙だけをシールで作成し、このシールを背表紙に貼付できるように構成してもよい。
【００２６】
【発明の効果】
本発明は、以上説明したような形態で実施され、次のような効果を有する。
【００２７】
各コインホルダー部に、一定金額のお金を貯めることができるので、一見して貯まった金額を判断することができる。また、地名やキャラクタ等の表示にしたがって順番にお金を貯めて行く事により、ゲーム感覚で興味を持ちながら一定金額が貯まる本型のコインホルダーを提供することができる。
【００２８】
コインホルダーを本棚などに垂直に載置しても、コイン収容部にコインが係止される係止部を設けてあるので、コインの落下を防止することができる。
【００２９】
本カバーをリバーシブルに構成し、コインを収容してある本型コインホルダーを本棚などに収納する際には、本カバーの裏面を利用して偽のタイトル名を表示することができるので、コインの盗難防止に役立つことができる。
【図面の簡単な説明】
【図１】本発明の第一実施例に係るに本型コインホルダーの外観を示した図である。
【図２】第一実施例において、本型コインホルダーのおもて表紙を開いた状態を示す外観図である。
【図３】第一実施例において、三層からなるコインホルダー部の分解斜視図である。
【図４】第一実施例において、コイン収容部にコインを収容した状態を拡大して示す図である。
【図５】本発明の第二実施例を示しており、おもて表紙を開いた状態を示す外観図である。
【図６】本発明の第一実施例及び第二実施例に用いる本カバーの表面と裏面を示した図である。
【符号の説明】
１　　本型コインホルダー
２Ａ　おもて表紙
２Ｂ　うら表紙
３　　コインホルダー部
３Ａ　上シート
３Ｂ　中間シート
３Ｃ　下シート
４　　コイン収容部
５　　道しるべ
６　　コイン
７　　コイン貼付部
８　　シール
９　　本カバー
９Ａ　表面
９Ｂ　裏面
３１　　開口部
３２　　コイン係止部
３３　　指掛部
３４　　開口部
３５　　指掛部
【図１】
2004065677.tif 000003
【図２】
2004065677.tif 000004
【図３】
2004065677.tif 000005
【図４】
2004065677.tif 000006
【図５】
2004065677.tif 000007
【図６】
2004065677.tif 000008